(57)【要約】【課題】  個人情報隠蔽用の薄上紙を疑似接着した水道やガス、電気等の検針票などの用紙において、前記薄上紙が破損しないで剥離でき、及び／又は下紙である感熱紙等の基紙に紙剥けが生じず、且つ、感熱プリンタを備えたハンディターミナルでの通紙に支障をきたさない薄上紙疑似接着の単位用紙又は連続用紙を提供する。【解決手段】  印字される基紙１０と薄上紙２０とを接着層４０によって疑似接着された用紙３０の前記基紙１０の裏面の所定部に隠蔽性を齎す印刷層ａを設けると共に、前記薄上紙の表面の所定部に隠蔽性を齎す印刷層ｂを設け、且つ前記基紙１０表面の非表示部６０の少なくとも一部にスリットＳ１を入れて区画し、前記基紙１０の区画が前記薄上紙２０に疑似接着された状態で残される切っ掛け部５０として設ける。【選択図】図１
2008126423.tif 000002
【特許請求の範囲】
【請求項１】
印字される基紙と薄上紙とを接着層によって疑似接着された単位用紙又は連続用紙において、前記基紙の裏面の所定部に隠蔽性を齎す印刷層ａを設けると共に、前記薄上紙の表面の所定部に隠蔽性を齎す印刷層ｂを設け、且つ、単位用紙又は連続用紙の単位用紙になる前記基紙の少なくとも一部の非表示部に一方の側縁とその側縁又は他方の側縁に渡るスリットを入れて区画し、その区画によって形成された前記基紙の個人情報印字部を含まない非表示部の区画部が前記薄上紙に疑似接着された状態で残される切っ掛け部として設けたことを特徴とする印字される基紙上に薄上紙を接着層によって疑似接着された用紙。
【請求項２】
印字される基紙と薄上紙とを接着層によって疑似接着された単位用紙又は連続用紙において、前記基紙の裏面の所定部に隠蔽性を齎す印刷層ａを設けると共に、前記薄上紙の表面の所定部に隠蔽性を齎す印刷層ｂを設け、且つ、単位用紙又は連続用紙の単位用紙になる前記薄上紙に、前記基紙表面の少なくとも個人情報印字部を除く領域と相対する領域にスリットを入れて区画すると共に、前記単位用紙又は連続用紙の単位用紙になる前記基紙表面の個人情報印字部を含む区画の少なくとも一部の非表示部に、一方の側縁とその側縁又は他方の側縁に渡るスリットを入れて区画し、前記基紙の個人情報印字部を含まない非表示部の区画が前記薄上紙の前記基紙表面の個人情報印字部を含む領域と相対する領域の区画に疑似接着された状態で残される切っ掛け部として設け、前記基紙に設けられた前述の切っ掛け部と共に前記基紙より剥離される剥離区画部と、前記基紙表面の個人情報印字部を含まない区画を前記基紙に疑似接着状態で残される非剥離区画部を前記薄上紙に設けたことを特徴とする印字される基紙上に薄上紙を接着層によって疑似接着された用紙。
【請求項３】
印字される基紙と薄上紙とを接着層によって疑似接着された単位用紙又は連続用紙において、前記基紙の裏面の所定部に隠蔽性を齎す印刷層ａを設けると共に、前記薄上紙の表面の所定部に隠蔽性を齎す印刷層ｂを設け、且つ、単位用紙又は連続用紙の単位用紙になる前記薄上紙に、前記基紙表面の少なくとも個人情報印字部を除く領域と相対する領域にスリットを入れて区画すると共に、前記単位用紙又は連続用紙の単位用紙になる前記薄上紙の前記スリットの少なくとも一部が接する領域と相対する前記基紙の領域に、前記基紙の側縁を除く少なくとも一部の非表示部にスリットを入れて区画し、前記基紙の個人情報印字部を含まない非表示部の区画が前記薄上紙の前記基紙表面の個人情報印字部を含む領域と相対する領域の区画に疑似接着された状態で残される切っ掛け部として設け、前記基紙に設けられた前述の切っ掛け部と共に前記基紙により剥離される剥離区画部と、前記基紙表面の個人情報印字部を含まない区画を前記基紙に疑似接着状態で残される非剥離区画部を前記薄上紙に設けたことを特徴とする印字される基紙上に薄上紙を接着層によって疑似接着された用紙。
【請求項４】
印字される基紙と薄上紙とを接着層によって疑似接着された連続用紙において、前記基紙の裏面の所定部に隠蔽性を齎す印刷層ａを設けると共に、前記薄上紙の表面の所定部に隠蔽性を齎す印刷層ｂを設け、且つ、連続用紙の単位用紙になる前記基紙の少なくとも一部の非表示部の一方の側縁とその側縁又は他方の側縁に渡るスリットを入れて区画し、その区画によって形成された前記基紙の個人情報印字部を含まない非表示部の区画部が前記薄上紙に疑似接着された状態で残される切っ掛け部を形成し、その切っ掛け部の少なくとも一部に隣接して前記薄上紙と前記基紙とが共に切り取られる切り欠け部を設け、且つ、その切り欠け部が隣接する単位用紙又は前記単位用紙と前記隣接する単位用紙に跨って配置したことを特徴とする印字される基紙上に薄上紙を接着層によって疑似接着された用紙。
【請求項５】
印字される基紙と薄上紙とを接着層によって疑似接着された単位用紙又は連続用紙において、前記基紙の裏面の所定部に隠蔽性を齎す印刷層ａを設けると共に、前記薄上紙の表面の所定部に隠蔽性を齎す印刷層ｂを設け、且つ、単位用紙又は連続用紙の単位用紙になる前記薄上紙に、前記基紙表面の少なくとも個人情報印字部を除く領域と相対する領域にスリットを入れて区画すると共に、前記単位用紙又は連続用紙の単位用紙になる前記基紙表面の個人情報印字部を含む区画の少なくとも一部の非表示部に、一方の側縁とその側縁又は他方の側縁に渡るスリットを入れて区画し、前記基紙の個人情報印字部を含まない非表示部の区画が前記薄上紙の前記基紙の表面の個人情報印字部を含む領域と相対する領域の区画に疑似接着された状態で残される切っ掛け部を形成し、その切っ掛け部の少なくとも一部に隣接して前記薄上紙と前記基紙とが共に切り取られる切り欠け部を設け、且つ、その切り欠け部は前記基紙表面の個人情報印字部を含まない区画に配置し、又は前記基紙表面の個人情報印字部を含む区画と前記基紙表面の個人情報印字部を含まない区画に跨って配置すると共に、前記基紙に設けられた前述の切っ掛け部とその上の薄上紙を摘んで前記基紙より剥離される剥離区画部と、前記基紙表面の個人情報印字部を含まない区画に対応する部分を前記基紙に疑似接着状態で残される非剥離区画部を前記薄上紙に設けたことを特徴とする印字される基紙上に薄上紙を接着層によって疑似接着された用紙。
【請求項６】
印字される基紙と薄上紙とを接着層によって疑似接着された単位用紙又は連続用紙において、前記基紙の裏面の所定部に隠蔽性を齎す印刷層ａを設けると共に、前記薄上紙の表面の所定部に隠蔽性を齎す印刷層ｂを設け、且つ、単位用紙又は連続用紙の単位用紙になる前記薄上紙に、前記基紙表面の少なくとも個人情報印字部を除く領域と相対する領域にスリットを入れて区画すると共に、前記単位用紙又は連続用紙の単位用紙になる前記基紙に、前記薄上紙の前記スリットの少なくとも一部に接した領域と相対する前記基紙の領域に、前記基紙の側縁を除く少なくとも一部の非表示部にスリットを入れて区画し、前記基紙の個人情報印字部を含まない非表示部の区画が前記薄上紙の前記基紙表面の個人情報印字部を含む領域と相対する領域の区画に疑似接着された状態で残される切っ掛け部を形成し、その切っ掛け部の少なくとも一部に隣接して前記薄上紙と前記基紙とが共に切り取られる切り欠け部を設け、且つ、その切り欠け部は前期基紙表面の個人情報印字部を含まない区画に配置し、又は前記基紙表面の個人情報印字部を含む区画と前記基紙表面の個人情報印字部を含まない区画に跨って配置すると共に、前記基紙に設けられた前述の切っ掛け部とその上の薄上紙を摘んで前記基紙より剥離される剥離区画部と、前記基紙表面の個人情報印字部を含まない区画に対応する部分を前記基紙に疑似接着状態で残される非剥離区画部を前記薄上紙に設けたことを特徴とする印字される基紙上に薄上紙を接着層によって疑似接着された用紙。
【請求項７】
請求項１ないし請求項６までのいずれかに記載の単位用紙又は連続用紙において、前記薄上紙の隠蔽性を齎す印刷層ｂを前記薄上紙の裏面の所定部に設けたことを特徴とする印字される基紙上に薄上紙を接着層によって疑似接着された用紙。
【請求項８】
請求項１ないし請求項６までのいずれかに記載の単位用紙又は連続用紙において、印刷層ｂ上に、印刷によるコーティング層を設けたことを特徴とする印字される基紙上に薄上紙を接着層によって疑似接着された用紙。
【発明の詳細な説明】
【技術分野】
【０００１】
本発明は、例えば水道やガス、電気等の検針票など感熱プリンタにより秘匿すべき情報を印字された感熱用紙（基紙）上に疑似接着された秘匿情報隠蔽用の薄上紙を受取人が容易に剥離でき、及び／又は下紙である感熱用紙の紙剥けが生じず、且つ、感熱プリンタを備えたハンディターミナルでの通紙に支障をきたさない印字される基紙上に薄上紙を接着層によって疑似接着された単位用紙又はその連続用紙に関するものである。
【背景技術】
【０００２】
従来、この種の検針票などは、感熱プリンタを備えたハンディターミナルで、検針結果を印字した後、検針員によって利用者のポストなどに入れられている。
【０００３】
又、近年、個人情報保護の観点から、検針員が上述の印字した後の検針票などを、隠蔽性を施した封筒などに入れて、利用者のポストなどに入れるようにしているが、封筒に入れる業務は、検針員にとって、手間が掛かるばかりでなく、封筒を持ち歩かなければならないので、解決策が望まれていた。
【０００４】
このような背景の下、前述した検針結果などの秘匿情報が、第三者に見られないように隠蔽されるようにした発明として、例えば、特許文献１（特開平１１−３０１１２６号公報）などが出願されている。
【０００５】
しかしながら、この特許文献１で開示される発明では、上紙が幅及び／又は天地の長さが異なる部分を有することと、下紙と上紙との少なくとも周縁部に、接着により重ならない部分を有することで、下紙と上紙とを分離する切っ掛け部としている秘匿情報記録用紙であるが、上紙に幅及び／又は天地の長さが異なる部分を有する用紙及び／又は下紙と上紙の周縁部に、接着により重ならない部分を有する用紙では、接着層をパターン糊として塗布する必要があり、高度な技術を要し、製造コストも高価なものとなる。
【０００６】
また薄上紙を印字される基紙上に疑似接着された感熱用紙として、例えば、王子製紙製のＤＭ８０Ｂ又はＤＭ８０Ｂ２があるが、薄上紙が略２１μ〜２５μのグラシン紙が使用されている。
【０００７】
このＤＭ８０Ｂ又は前記ＤＭ８０Ｂ２に前記特許文献１に開示される技法、即ち上紙に幅及び／又は天地の長さが異なる部分を有する技法を適用した場合、薄上紙を剥がすきっかけとして、先ず、薄上紙が捲れなければならないが、単に薄上紙に長さの異なる部分を有しているだけでは、薄上紙が捲れ難く、剥がす事が困難であった。
【０００８】
又、下紙と上紙の周縁部に、接着により重ならない部分を有する技法では、感熱プリンタを備えたハンディターミナルで用いられる用紙の形態は、主として蛇腹又はロールの連続帳票であり、用紙の非接着部のカール癖又は折れなどの要因で、感熱プリンタを備えたハンディターミナルの通紙でトラブルになる恐れがあった。
【０００９】
更に、感熱紙（基紙）と前述の王子製紙製のＤＭ８０Ｂ又はＤＭ８０Ｂ２等の不透過度が略７８％以下の薄上紙とが疑似接着された用紙において、一般的な剥離方法として、薄上紙からスリットを入れて切っ掛け部を形成した用紙について実証実験を試みた結果、スリットの入り方がたとえ正常に入ったとしても、感熱紙の表面に数ミクロンのスリットが入り、例えばスリットに指の爪をたてて薄上紙を捲ろうとした場合に、感熱紙に入った数ミクロンのスリットの影響で、感熱紙に表面剥離（紙剥け）が生じ、感熱紙の印字面が、薄上紙側に付着したという問題が生じた。
【特許文献１】特開平１１−３０１１２６号公報
【発明の開示】
【発明が解決しようとする課題】
【００１０】
そこで本発明は、例えば水道やガス、電気等の検針票など感熱プリンタにより秘匿すべき情報を印字された結果を見るために、隠蔽された上紙が破損しないで剥離でき、及び／又は下紙である感熱紙の紙剥けが生じず、且つ、感熱プリンタを備えたハンディターミナルでの通紙に支障をきたさない薄上紙疑似接着の単位用紙又はその連続用紙を提供するものである。
【課題を解決するための手段】
【００１１】
本発明は、上記の課題を解決するためになされたもので、請求項１の発明は、印字される基紙と薄上紙とを接着層によって疑似接着された単位用紙又は連続用紙において、前記基紙の裏面の所定部に隠蔽性を齎す印刷層ａを設けると共に、前記薄上紙の表面の所定部に隠蔽性を齎す印刷層ｂを設け、且つ、単位用紙又は連続用紙の単位用紙になる前記基紙の少なくとも一部の非表示部に一方の側縁とその側縁又は他方の側縁に渡るスリットを入れて区画し、その区画によって形成された前記基紙の個人情報印字部を含まない非表示部の区画部が前記薄上紙に疑似接着された状態で残される切っ掛け部として設けたことを特徴とする印字される基紙上に薄上紙を接着層によって疑似接着された用紙である。
【００１２】
請求項２の発明は、印字される基紙と薄上紙とを接着層によって疑似接着された単位用紙又は連続用紙において、前記基紙の裏面の所定部に隠蔽性を齎す印刷層ａを設けると共に、前記薄上紙の表面の所定部に隠蔽性を齎す印刷層ｂを設け、且つ、単位用紙又は連続用紙の単位用紙になる前記薄上紙に、前記基紙表面の少なくとも個人情報印字部を除く領域と相対する領域にスリットを入れて区画すると共に、前記単位用紙又は連続用紙の単位用になる前記基紙表面の個人情報印字部を含む区画の少なくとも一部の非表示部に、一方の側縁とその側縁又は他方の側縁に渡るスリットを入れて区画し、前記基紙の個人情報印字部を含まない非表示部の区画が前記薄上紙の前記基紙表面の個人情報印字部を含む領域と相対する領域の区画に疑似接着された状態で残される切っ掛け部として設け、前記基紙に設けられた前述の切っ掛け部と共に前記基紙より剥離される剥離区画部と、前記基紙表面の個人情報印字部を含まない区画を前記基紙に疑似接着状態で残される非剥離区画部を前記薄上紙に設けたことを特徴とする印字される基紙上に薄上紙を接着層によって疑似接着された用紙である。
【００１３】
請求項３の発明は、印字される基紙と薄上紙とを接着層によって疑似接着された単位用紙又は連続用紙において、前記基紙の裏面の所定部に隠蔽性を齎す印刷層ａを設けると共に、前記薄上紙の表面の所定部に隠蔽性を齎す印刷層ｂを設け、且つ、単位用紙又は連続用紙の単位用紙になる前記薄上紙に、前記基紙表面の少なくとも個人情報印字部を除く領域と相対する領域にスリットを入れて区画すると共に、前記単位用紙又は連続用紙の単位用紙になる前記薄上紙の前記スリットの少なくとも一部が接する領域と相対する前記基紙の領域に、前記基紙の側縁を除く少なくとも一部の非表示部にスリットを入れて区画し、前記基紙の個人情報印字部を含まない非表示部の区画が前記薄上紙の前記基紙表面の個人情報印字部を含む領域と相対する領域の区画に疑似接着された状態で残される切っ掛け部として設け、前記基紙に設けられた前述の切っ掛け部と共に前記基紙により剥離される剥離区画部と、前記基紙表面の個人情報印字部を含まない区画を前記基紙に疑似接着状態で残される非剥離区画部を前記薄上紙に設けたことを特徴とする印字される基紙上に薄上紙を接着層によって疑似接着された用紙である。
【００１４】
請求項４の発明は、印字される基紙と薄上紙とを接着層によって疑似接着された連続用紙において、前記基紙の裏面の所定部に隠蔽性を齎す印刷層ａを設けると共に、前記薄上紙の表面の所定部に隠蔽性を齎す印刷層ｂを設け、且つ、連続用紙の単位用紙になる前記基紙の少なくとも一部の非表示部の一方の側縁とその側縁又は他方の側縁に渡るスリットを入れて区画し、その区画によって形成された前記基紙の個人情報印字部を含まない非表示部の区画部が前記薄上紙に疑似接着された状態で残される切っ掛け部を形成し、その切っ掛け部の少なくとも一部に隣接して前記薄上紙と前記基紙とが共に切り取られる切り欠け部を設け、且つ、その切り欠け部が隣接する単位用紙又は前記単位用紙と前記隣接する単位用紙に跨って配置したことを特徴とする印字される基紙上に薄上紙を接着層によって疑似接着された用紙である。
【００１５】
請求項５の発明は、印字される基紙と薄上紙とを接着層によって疑似接着された単位用紙又は連続用紙において、前記基紙の裏面の所定部に隠蔽性を齎す印刷層ａを設けると共に、前記薄上紙の表面の所定部に隠蔽性を齎す印刷層ｂを設け、且つ、単位用紙又は連続用紙の単位用紙になる前記薄上紙に、前記基紙表面の少なくとも個人情報印字部を除く領域と相対する領域にスリットを入れて区画すると共に、前記単位用紙又は連続用紙の単位用紙になる前記基紙表面の個人情報印字部を含む区画の少なくとも一部の非表示部に、一方の側縁とその側縁又は他方の側縁に渡るスリットを入れて区画し、前記基紙の個人情報印字部を含まない非表示部の区画が前記薄上紙の前記基紙の表面の個人情報印字部を含む領域と相対する領域の区画に疑似接着された状態で残される切っ掛け部を形成し、その切っ掛け部の少なくとも一部に隣接して前記薄上紙と前記基紙とが共に切り取られる切り欠け部を設け、且つ、その切り欠け部は前記基紙表面の個人情報印字部を含まない区画に配置し、又は前記基紙表面の個人情報印字部を含む区画と前記基紙表面の個人情報印字部を含まない区画に跨って配置すると共に、前記基紙に設けられた前述の切っ掛け部とその上の薄上紙を摘んで前記基紙より剥離される剥離区画部と、前記基紙表面の個人情報印字部を含まない区画に対応する部分を前記基紙に疑似接着状態で残される非剥離区画部を前記薄上紙に設けたことを特徴とする印字される基紙上に薄上紙を接着層によって疑似接着された用紙である。
【００１６】
請求項６の発明は、印字される基紙と薄上紙とを接着層によって疑似接着された単位用紙又は連続用紙において、前記基紙の裏面の所定部に隠蔽性を齎す印刷層ａを設けると共に、前記薄上紙の表面の所定部に隠蔽性を齎す印刷層ｂを設け、且つ、単位用紙又は連続用紙の単位用紙になる前記薄上紙に、前記基紙表面の少なくとも個人情報印字部を除く領域と相対する領域にスリットを入れて区画すると共に、前記単位用紙又は連続用紙の単位用紙になる前記基紙に、前記薄上紙の前記スリットの少なくとも一部に接した領域と相対する前記基紙の領域に、前記基紙の側縁を除く少なくとも一部の非表示部にスリットを入れて区画し、前記基紙の個人情報印字部を含まない非表示部の区画が前記薄上紙の前記基紙表面の個人情報印字部を含む領域と相対する領域の区画に疑似接着された状態で残される切っ掛け部を形成し、その切っ掛け部の少なくとも一部に隣接して前記薄上紙と前記基紙とが共に切り取られる切り欠け部を設け、且つ、その切り欠け部は前期基紙表面の個人情報印字部を含まない区画に配置し、又は前記基紙表面の個人情報印字部を含む区画と前記基紙表面の個人情報印字部を含まない区画に跨って配置すると共に、前記基紙に設けられた前述の切っ掛け部とその上の薄上紙を摘んで前記基紙より剥離される剥離区画部と、前記基紙表面の個人情報印字部を含まない区画に対応する部分を前記基紙に疑似接着状態で残される非剥離区画部を前記薄上紙に設けたことを特徴とする印字される基紙上に薄上紙を接着層によって疑似接着された用紙である。
【００１７】
請求項７の発明は、請求項１ないし請求項６までのいずれかに記載の単位用紙又は連続用紙において、前記薄上紙の隠蔽性を齎す印刷層ｂを前記薄上紙の裏面の所定部に設けたことを特徴とする印字される基紙上に薄上紙を接着層によって疑似接着された用紙である。
【００１８】
請求項８の発明は、請求項１ないし請求項６までのいずれかに記載の単位用紙又は連続用紙において、印刷層ｂ上に、印刷によるコーティング層を設けたことを特徴とする印字される基紙上に薄上紙を接着層によって疑似接着された用紙である。
【発明の効果】
【００１９】
本発明にかかる用紙は、例えば単位用紙又は連続用紙の基紙が感熱紙である場合、感熱プリンタにより秘匿すべき情報を印字された結果を見るために、隠蔽された薄上紙を破損しないで剥離でき、及び／又は下紙である感熱紙の紙剥けが生じず、且つ、感熱プリンタを備えたハンディターミナルでの通紙に支障をきたさない。
【００２０】
以下、本発明を、秘匿情報隠蔽用薄上紙を感熱用紙に疑似接着した用紙に適用した場合の実施の形態をあげ、更に詳細に説明する。
【実施例１】
【００２１】
図１は、請求項１の発明を単位用紙に適用した場合の実施例の層構成を示す模式図で、この用紙３０は不透過度が略７８％以下の秘匿情報隠蔽用の薄上紙２０を基紙１０に接着層４０で疑似接着したものである。そして、基紙１０の裏面の所定部と、薄上紙２０の表面の所定部に隠蔽性を齎す印刷層ａとｂをそれぞれ設け、且つ前記基紙１０の一部（この実施例では基紙の裏面図で左側縁の下部）に図４に示すように半円状のスリットＳ１を入れて区画し、この区画部が前記薄上紙２０に疑似接着された状態で残される切っ掛け部５０として設けられている。
【００２２】
前記スリットＳ１を入れて形成した切っ掛け部５０は、薄上紙２０と基紙１０とが疑似接着されているため、切っ掛け部５０の紙厚が増し、他方薄上紙２０のコシが増強することになるので切っ掛け部５０を摘んで薄上紙２０を剥離した場合、図２に示すように薄上紙２０が破損しないで剥離でき、及び／又は基紙１０の表面剥離（紙剥け）も生じない。尚、薄上紙２０の剥離は、切っ掛け部５０を薄上紙２０から剥離してから、切っ掛け部５０を剥離した部分の薄上紙２０を摘んでも剥離することができる。
【００２３】
基紙１０と薄上紙２０とを接着層４０にて疑似接着された市販の用紙としては、前述のＤＭ８０Ｂ又はＤＭ８０Ｂ２（王子製紙株式会社製）などが用いられる。
【００２４】
用紙として上述のＤＭ８０Ｂ及びＤＭ８０Ｂ２を用いて実証実験を行った結果、ＤＭ８０Ｂの薄上紙２０は略２５μの紙厚のグラシン紙であり、又、ＤＭ８０Ｂ２の薄上紙２０は略２１μの紙厚のグラシン紙であるが、ＤＭ８０Ｂ及びＤＭ８０Ｂ２共に、グラシン紙が破損しないで剥離でき、及び／又は基紙（感熱紙）の表面剥離（紙剥け）も生じなかった。
【００２５】
図３は、実施例１における印字項目例を示す基紙１０の表面図で、ａ１〜ａ５は非個人情報が印字される印字欄、ｂ１〜ｂ５は個人情報が印字される印字欄であり、基紙１０の表面の非表示部６０の一部にスリットＳ１を入れて区画し、前記薄上紙２０に疑似接着された状態で残される切っ掛け部５０として設けられている。
【００２６】
上述の各印字欄は、オーバーレイとして印字しても良いが、感熱プリンタを備えたハンディターミナルのバッテリーの節電と帳票デザイン性の向上を鑑みると、プレ印刷がより好ましい。
【００２７】
又、上述の隠蔽性を齎す印刷層ａ及び／又は隠蔽性を齎す印刷層ｂが設けられる各々の所定部とは、ｂ１、ｂ２、ｂ３、ｂ４、ｂ５の各印字欄であるが、差出人（検針員）が薄上紙２０の表面より視認するための最低限の情報源である本人確認欄（ａ１、ａ２）及び／又は非個人情報の差出人確認欄（ａ３）を除く領域は、隠蔽性を齎す印刷層ａ及び／又は隠蔽性を齎す印刷層ｂが設けられても良い。
【００２８】
更に、隠蔽性を齎す印刷層ａ及び／又は隠蔽性を齎す印刷層ｂの目的は、個人情報が視認できないことであり、隠蔽性を齎す印刷層は、ベタ印刷に限らず、カムフラージュ効果を齎す印刷であっても良い。又、ベタ印刷とカムフラージュ効果を齎す印刷との組み合わせ、若しくは、ベタ印刷とベタ印刷との組み合わせなど、二層以上の印刷層を設けることがより好ましい。更に、基本１０及び／又は薄上紙２０が隠蔽効果を齎す加工（遮光紙を接着されたものなど）若しくは隠蔽効果を齎す紙質であれは、隠蔽性を齎す印刷層ａ及び／又は隠蔽性を齎す印刷層ｂを設けなくても良い。
【００２９】
上述の秘匿情報隠蔽用薄上紙を疑似接着した感熱単位用紙３０は、前述の王子製紙製のＤＭ８０Ｂ又はＤＭ８０Ｂ２を使用すれば、隠蔽性を齎す印刷層を設けても、良好の結果が得られ、薄上紙２０に相当する紙質がグラシン紙を用いているため、薄上紙を剥がさなくとも本人確認欄（ａ１、ａ２）及び／又は差出人確認欄（ａ３）などの非個人情報は鮮明に視認できた。又、前述の切っ掛け部を摘んで、薄上紙を剥離すると、隠蔽性を齎す印刷層ｂで隠蔽されていた個人情報等（ａ４、ａ５、ｂ１〜ｂ５）も鮮明に視認できた。
【００３０】
図４は実施例１における基紙１０の裏面図、図５は実施例１における薄上紙２０の表面図である。
【実施例２】
【００３１】
図６は実施例２における基紙１０の裏面図で、前記実施例１との相違点は、実施例１では半円状のスリットＳ１を基紙１０の左側縁の下部に配置したのに対し、スリットＳ１を基紙１０の左側縁とその側縁に隣接する下側縁とに渡って半円状に配置し、切っ掛け部５１を形成した点が異なり、その他の構成は実施例１と同様である。
【実施例３】
【００３２】
図７は実施例３における基紙１０の裏面図で、前記実施例１との相違点は、実施例１では半円状のスリットＳ１を左側縁の下部に配置したのに対し、スリットＳ２を基紙１０の左側縁とその側縁に隣接する下側縁とに渡って直線状に配置し、切っ掛け部５２を形成した点が異なり、その他の構成は実施例１と同様である。
【実施例４】
【００３３】
図８は実施例４における基紙１０の裏面図で、前記実施例１との相違点は、実施例１では半円状のスリットＳ１を左側縁の下部に配置したのに対し、スリットＳ３を基紙１０の左側縁と右側縁とに渡って直線状に配置し、切っ掛け部５３を形成した点が異なり、その他の構成は実施例１と同様である。
【実施例５】
【００３４】
図９は、請求項１の発明を連続用紙に適用した場合の実施例の層構成を示す模式図で、前記実施例１との相違点は、実施例１では用紙３０が単位用紙に対し、用紙３０に切断用横ミシン８０を設け、この切断用横ミシン８０を介して単位用紙Ｕを連続形成することにより連続用紙とした点が異なり、その他の構成は実施例１と同様である。
【実施例６】
【００３５】
図１０は、実施例６における基紙１０の裏面図で、前記実施例５との相違点は、実施例５では半円状のスリットＳ１を単位用紙の左側縁の下部に配置したのに対し、左側縁とその側縁に隣接する横ミシン８０とに渡って半円状に配置し、且つ、横ミシン８０との接点と左下角部とに渡って直線状にスリットＳ４を左辺隅に配置し、連続用紙を横ミシン８０で分離して単位用紙Ｕを構成する時に、切っ掛け部５０が隣接の単位用紙Ｕにつられて剥離しないようにした点が異なり、その他の構成は実施例１と同様である。
【００３６】
以上説明した実施例１〜実施例６から容易に理解されるように、スリットＳ１で形成される単位用紙又は連続用紙の単位用紙の切っ掛け部５０の形状は、スリットＳ１が「一方の側縁とその側縁または他方の側縁に渡るスリットを入れて区画する」という条件を満たしていれば、如何なる形状であっても同様の効果が得られる。
【００３７】
更に、前記切っ掛け部５０に、感熱プリンタを備えたハンディターミナルでの通紙上の負荷抵抗等による前記切っ掛け部５０が取り落とされないためのアンカット部を設けたものがより好ましい。
【実施例７】
【００３８】
図１１は請求項２の発明を単位用紙に適用した場合の実施例の層構成を示した模式図で、前記実施例１との相違点は、薄上紙２０を全部剥離する実施例１に対し、薄上紙２０を区画する区画領域に自由度を持たせ、且つ、任意の剥離領域を設定しても薄上紙２０を剥離可能、即ち薄上紙２０にスリットＳ１０を設けて、剥離区画部Ａ１と非剥離区画部Ｂ１とに区画し、非剥離区画部Ｂ１にはプレ印刷及び／又は感熱プリンタを備えたハンディターミナルで印字可能とする領域を確保し、固定フォーマットの注釈等を印刷若しくは印字し、前記薄上紙２０を剥がすことなく視認でき、且つ、基紙１０には、剥離区画部Ａ１と相対する領域の側縁にスリットＳ１を入れて切っ掛け部５０が設けられ、前記基紙１０と前記薄上紙２０とが疑似接着されている切っ掛け部５０を摘んで、前記薄上紙２０が破損しないで剥離でき、及び／又は基紙１０の表面剥離（紙剥け）も生せずに、前記薄上紙２０が剥離可能となるようにしたものである。
【００３９】
図１２は、実施例７における基紙表面の印字領域例を示す説明図で、ｃ１〜ｃ５は非個人情報が印字される印字欄、ｄ１〜ｄ５は個人情報が印字される印字領域であり、基紙１０の表面の非表示部６１の一部にスリットＳ１を入れて区画し、前記薄上紙２０に疑似接着された状態で残される切っ掛け部５０として設けられている。
【００４０】
図１３は実施例７における基紙１０表面の非表示部６１の説明図、図１４は実施例７における基紙１０の裏面図、図１５は、実施例７における印刷例を示す薄上紙２０の表面図、図１６は実施例７の薄上紙２０の表面における剥離区画部Ａ１と非剥離区画部Ｂ１の説明図で、プレ印刷Ｐ１は、感熱プリンタを備えハンディターミナルの節電とデザイン性向上を鑑みて、非剥離区画部Ｂ２に印刷されている。又、印刷層ｂは、基紙１０表面に印字される個人情報を、第三者が薄上紙の表面より視認できないように、ベタ印刷が設けられている。更に、剥離区画部Ａ１と非剥離区画部Ｂ１の境界線を、スリットＳ１０に区画されている。
【実施例８】
【００４１】
図１７は、請求項２の発明を連続用紙に適用した場合の実施例の層構成を示す模式図で、前記実施例７との相違点は、実施例７では用紙３０が単位用紙に対し、用紙３０に切断用横ミシン８０を設け、この切断用横ミシン８０を介して単位用紙Ｕを連続形成することにより連続用紙とした点が異なり、その他の構成は実施例７と同様である。
【００４２】
又、実施例７及び／又は実施例８における薄上紙２０の任意の剥離領域を、単位用紙及び／又は連続用紙の単位用紙Ｕとなる下部に設定し、上部を非剥離領域とした場合、前述の切っ掛け部５０を形成するためのスリットＳ１は、実施例１と同領域に配置しても良い。
【実施例９】
【００４３】
図１８は、請求項３の発明を単位用紙に適用した場合の実施例の層構成を示す模式図で、図１１に示した前記実施例７との相違点は、実施例７では基紙１０の右側縁の下部に設けた切っ掛け部５０を摘んで，前記切っ掛け部５０に疑似接着されている薄上紙２０の剥離区画部Ａ１とを剥離するに対し、基紙１０の何れの側縁にも接触しない非表示に配置された切っ掛け部５５を図１９に示すように薄上紙２０に設けたスリットＳ１０（仮想）に接するように基紙１０に設け、この切っ掛け部５５を裏面より押し上げて、用紙３０の表面より前記基紙１０と前記薄上紙２０とが疑似接着されている切っ掛け部を摘んで、前記薄上紙２０が破損しないで剥離でき、及び／又は基紙１０の表面剥離（紙剥け）も生せずに、前記薄上紙２０が剥離可能となるようにしたものである。
【００４４】
図１９は、実施例９における基紙１０の印字領域例を示す説明図、図２０は実施例９における基紙１０の非表示部側を示す説明図、図２１は実施例９における基紙１０の裏面図で、ｃ１〜ｃ５は非個人情報が印字される印字欄、ｄ１〜ｄ５は個人情報が印字される印字領域であり、基紙１０の表面の非表示部６１の一部にスリットＳ５を入れて区画し、前記薄上紙２０に疑似接着された状態で残される切っ掛け部５５として設けられている。
【００４５】
図２２は、実施例９における薄上紙２０の印刷例を示す説明図、図２３は実施例９における薄上紙２０の剥離区画部Ａ１と非剥離区画部Ｂ１の説明図で、プレ印刷Ｐ１は、感熱プリンタを備えハンディターミナルの節電とデザイン性向上を鑑みて、非剥離区画部Ｂ１に印刷されている。
【００４６】
又、印刷層ｂは、基紙１０表面に印字される個人情報を、第三者が薄上紙の表面より視認できないように、ベタ印刷が設けられている。
【００４７】
更に、剥離区画部Ａ１と非剥離区画部Ｂ１の境界線を、スリットＳ１０に区画されている。
【００４８】
以上説明した実施例７と実施例８から容易に理解されるように、スリット１０は、薄上紙２０を剥離区画部Ａ１と非剥離区画部Ｂ１とに分割するものであるが、非剥離部Ｂ１にも、剥離区画部Ａ１と同等の切っ掛け部を設けることにより、非剥離区画部Ｂ１も切っ掛け部５５を摘んで薄上紙２０を容易に剥離でき、結果的に実施例１と同等の効果が得られる。
【００４９】
又、製造コストを安価に抑えるために有効な手段として、薄上紙２０を剥離区画部Ａ１と非剥離区画部Ｂ１とに分割するスリット１０を省略し、基紙１０に設けた切っ掛け部５５を基紙１０の何れかの側縁の近くに配置すれば、裏面より基紙１０に設けた切っ掛け部５５を押し上げることで、側縁部の薄上紙２０も基紙１０から剥がれ、切っ掛け部５５を摘むことができ、薄上紙２０全体を剥がすこともできる。但し、この場合は基紙１０により薄上紙２０を剥がすのに、若干の手間を要する。
【実施例１０】
【００５０】
図２４は、請求項３の発明を連続用紙に適用した場合の実施例の層構成を示す模式図で、前記実施例９との相違点は、実施例９では用紙３０が単位用紙に対し、用紙３０に切断用横ミシン８０を設け、この切断用横ミシン８０を介して単位用紙Ｕを連続形成することにより連続用紙とした点が異なり、その他の構成は実施例９と同様である。
【００５１】
又、実施例９及び／又は実施例１０における前述の切っ掛け部５５の形状は、実施例では円状を形成しているが、剥がし取られる形状であれば、三角状、四角状など形状に拘るものではない。
【００５２】
更に、前記切っ掛け部５５に、感熱プリンタを備えたハンディターミナルでの通紙上の負荷抵抗等による前記切っ掛け部５５が取り落とされないためのアンカット部を設けたものがより好ましい。
【実施例１１】
【００５３】
図２５は、請求項４の発明の実施例の層構成を示す模式図、図２６は実施例１１における基紙１０の裏面図、図２７は実施例１１における薄上紙２０の表面図で、この用紙３０は不透過度が略７８％以下の秘匿情報隠蔽用の薄上紙２０を基紙１０に接着層４０で疑似接着したものである。そして、基紙１０の裏面の所定部と、薄上紙２０の表面の所定部に隠蔽性を齎す印刷層ａとｂをそれぞれ設け、且つ前記基紙１０の一部（この実施例では基紙の裏面図で単位用紙Ｕの左側縁の角部）に図２６に示すように半円状のスリットＳ４を入れて区画し、この区画部が前記薄上紙２０に疑似接着された状態で残される切っ掛け部５４として設けられている。
【００５４】
又、前記スリットＳ４を入れて形成した前記切っ掛け部５４には、連続用紙３０の隣接した単位用紙Ｕに、前記切っ掛け部５４の一部に隣接して図２６に示すように切り欠け部７０が設けられている。
【００５５】
この前記切り欠け部７０は、感熱プリンタを備えたハンディターミナルで印字後に、印字後単位用紙Ｕを、一度連続用紙３０の横ミシン８０で隣接する単位用紙Ｕより分離する必要があるが、この実施例では横ミシン８０で印字後単位用紙Ｕを分離する時に、前記切っ掛け部５４が前記隣接する単位用紙Ｕにつられないようにしたものである。
【００５６】
更に、前記切り欠け部７０の配置は、前記切っ掛け部が形成されている単位用紙の一部に跨るように配置されても、同様の効果が得られる。
【実施例１２】
【００５７】
図２８は、請求項５の発明を単位用紙に適用した場合の実施例の層構成を示す模式図、図２９は実施例１２における基紙１０の裏面図、図３０は実施例１２の薄上紙２０の表面図で、前記実施例１１との相違点は、薄上紙２０を全部剥離する単位用紙に切っ掛け部５４と切り欠け部７０を設けた実施例１１に対し、薄上紙２０を剥離区画部Ａ２と非剥離区画部Ｂ２とに区画された連続用紙に切っ掛け部５４と切り欠け部７０を設けたことが異なり、このように構成することにより切っ掛け部５４とその上の薄上紙２０を容易に摘んで剥離区画部Ａ２を剥がすようにしたものである。
【００５８】
又、例えば、図２９の切っ掛け部５４の形状を、図７の切っ掛け部５２の形状とする場合、図７では切っ掛け部５２を形成するスリットを、左側縁と下側縁とに渡ってスリットを入れたに対し、左側縁と下側縁更に下側縁と左下角とに渡ってスリットが必要となる。即ち、基紙の切っ掛け部と薄上紙のスリットが重複する箇所が発生し、その重複したスリットのために、図２９で示した切り欠け部７０に相当する領域の用紙３０の強度が弱くなり、折れ等が生じないように前記切り欠け部７０を形成し、感熱プリンタを備えたハンディターミナルでの通紙に支障をきたさないようにしたものである。
【実施例１３】
【００５９】
図３１は、請求項５の発明を連続用紙に適用した場合の実施例の層構成を示す模式図で、前記実施例１２との相違点は、用紙３０が単位用紙の実施例１２に対し、用紙３０に切断用横ミシン８０を設け、この切断用横ミシン８０を介して単位用紙Ｕを連続形成することにより連続用紙とした点が異なり、その他の構成は実施例１２と同様である。
【実施例１４】
【００６０】
図３２は、請求項６の発明を単位用紙に適用した場合の実施例の層構成を示す模式図、図３３は実施例１４における基紙１０の裏面図、図３４は実施例１４の薄上紙２０の表面図で、図１８に示した実施例９との相違点は、実施例９では基紙１０の何れの側縁にも接触しない非表示部に切っ掛け部５５を設けるのに対し、薄上紙２０の非剥離区画部Ｂ１側に前記切っ掛け部５０に隣接して前記薄上紙と前記基紙とが共に切り取られる切り欠け部７１を設け、基紙１０に設けた切っ掛け部５０とその上の薄上紙２０を容易に摘んで剥がすことにより薄上紙２０の剥離区画部Ａ１のみを剥離することができる。
【００６１】
即ち、この構成によると、薄上紙２０の剥離区画部Ａ１の剥離を容易にし、薄上紙２０の非剥離区画部Ｂ１を間違って剥離させない効果がある。
【実施例１５】
【００６２】
図３５は、請求項６の発明を連続用紙に適用した場合の実施例の層構成を示す模式図で、前記実施例１４との相違点は、用紙３０が単位用紙の実施例１４に対し、用紙３０に切断用横ミシン８０を設け、この切断用横ミシン８０を介して単位用紙Ｕを連続形成することにより連続用紙とした点が異なり、その他の構成は実施例１４と同様である。
【実施例１６】
【００６３】
図３６は実施例１６の層構成を示す模式図で、実施例１との相違点は、印刷層ｂを薄上紙２０の表面に設けずに裏面に設けたもので、印刷層ｂによる個人情報の隠蔽性は実施例１の場合と変わらない。
【実施例１７】
【００６４】
実施例１〜１５の実証実験結果によると、隠蔽性を齎す印刷層ｂに金色又は銀色等の金属粉が含まれるインキを使用した場合、たとえＵＶインキであっても、連続印字した場合に感熱プリンタのヘッドにインキが付着して印字不良を起こすことがある。
【００６５】
そこで、実験研究の結果、隠蔽性を齎す印刷層ｂの上に、印刷によるコーティング層に使用された市販のインキとしては、例えば、ＵＶカルトン剥離ＯＰニス改（ザ・インクテック株式会社製）などを用いることにより、感熱プリンタのヘッドに隠蔽性を齎す印刷層ｂのインキが付着することを予防する事ができたので、ここでは図示しないが、実施例１７は上記実施例１〜実施例１５の印刷層の上に、印刷によるコーティング層を設けたものである。
【実施例１８】
【００６６】
以上、例示した実施例では、基紙として感熱紙を用いた場合のものを例示したが、本発明はバックカーボン式で印字される基紙上に、薄上紙を接着層によって疑似接着された単位用紙又は連続用紙にも適用し得ることは明らかであるので、ここでは実施例の図面及びその説明は省略する。
【図面の簡単な説明】
【００６７】
【図１】実施例１の層構成を示す模式図。
【図２】実施例１における薄上紙を剥離する途中の斜視図。
【図３】実施例１における印字項目例を示す基紙表面の説明図。
【図４】実施例1の基紙の裏面図。
【図５】実施例1の薄上紙の表面図。
【図６】実施例２の切っ掛け部の説明の基紙裏面図。
【図７】実施例３の切っ掛け部の説明の基紙裏面図。
【図８】実施例４の切っ掛け部の説明の基紙裏面図。
【図９】実施例５の層構成を示す模式図。
【図１０】実施例６の基紙の裏面図。
【図１１】実施例７の層構成を示す模式図。
【図１２】実施例７における印字領域例を示す基紙表面の説明図。
【図１３】実施例７における非表示部例を示す基紙表面の説明図。
【図１４】実施例７の基紙の裏面図。
【図１５】実施例７の薄上紙の表面図。
【図１６】実施例７の薄上紙の剥離部と非剥離部の説明図。
【図１７】実施例８の層構成を示す模式図。
【図１８】実施例９の層構成を示す模式図。
【図１９】実施例９における印字領域例を示す基紙表面の説明図。
【図２０】実施例９における非表示部例を示す基紙表面の説明図。
【図２１】実施例９の基紙の裏面図。
【図２２】実施例９の薄上紙の印刷例を示す説明図。
【図２３】実施例９の薄上紙の剥離部と非剥離部の説明図。
【図２４】実施例１０の層構成を示す模式図。
【図２５】実施例１１の層構成を示す模式図。
【図２６】実施例１１の基紙の裏面図。
【図２７】実施例１１の薄上紙の表面図。
【図２８】実施例１２の層構成を示す模式図。
【図２９】実施例１２の基紙の裏面図。
【図３０】実施例１２の薄上紙の表面図。
【図３１】実施例１３の層構成を示す模式図。
【図３２】実施例１４の層構成を示す模式図。
【図３３】実施例１４の基紙の裏面図。
【図３４】実施例１４の薄上紙の表面図。
【図３５】実施例１５の層構成を示す模式図。
【図３６】実施例１６の層構成を示す模式図。
【符号の説明】
【００６８】
１０            基紙
２０            薄上紙
３０            用紙
４０            接着層
５０〜５５      切っ掛け部
６０、６１      非表示部
７０、７１      切り欠け部
８０            横ミシン
ａ、ｂ          隠蔽を齎す印刷層
ａ１〜ａ５      非個人情報印字欄
ｂ１〜ｂ５      個人情報印字欄
Ａ１、Ａ２      剥離区画部
Ｂ１、Ｂ２      非剥離区画部
Ｐ１            プレ印刷
Ｓ１〜Ｓ５      スリット
Ｓ１０          スリット
Ｕ              単位用紙
【図１】
2008126423.tif 000003
【図２】
2008126423.tif 000004
【図３】
2008126423.tif 000005
【図４】
2008126423.tif 000006
【図５】
2008126423.tif 000007
【図６】
2008126423.tif 000008
【図７】
2008126423.tif 000009
【図８】
2008126423.tif 000010
【図９】
2008126423.tif 000011
【図１０】
2008126423.tif 000012
【図１１】
2008126423.tif 000013
【図１２】
2008126423.tif 000014
【図１３】
2008126423.tif 000015
【図１４】
2008126423.tif 000016
【図１５】
2008126423.tif 000017
【図１６】
2008126423.tif 000018
【図１７】
2008126423.tif 000019
【図１８】
2008126423.tif 000020
【図１９】
2008126423.tif 000021
【図２０】
2008126423.tif 000022
【図２１】
2008126423.tif 000023
【図２２】
2008126423.tif 000024
【図２３】
2008126423.tif 000025
【図２４】
2008126423.tif 000026
【図２５】
2008126423.tif 000027
【図２６】
2008126423.tif 000028
【図２７】
2008126423.tif 000029
【図２８】
2008126423.tif 000030
【図２９】
2008126423.tif 000031
【図３０】
2008126423.tif 000032
【図３１】
2008126423.tif 000033
【図３２】
2008126423.tif 000034
【図３３】
2008126423.tif 000035
【図３４】
2008126423.tif 000036
【図３５】
2008126423.tif 000037
【図３６】
2008126423.tif 000038